(57)【要約】【課題】３Ｄ画像を視聴する際に生じるクロストークを防止できるようにする。【解決手段】左眼用画像Ｌ０を２回連続して表示した後、右眼用画像Ｒ０を２回連続して表示する処理を順次繰り返して、３Ｄ画像を表示する際、１回目の右眼用画像Ｒ０を、その前後の左眼用画像Ｌ０および右眼用画像Ｒ０の情報から得られるクロストーク量、およびオーバドライブデータを用いて補正した右眼用画像Ｒ’０を生成し、１回目の右眼用画像として表示する。また、この際、バックライトは消灯させておく。この結果、１回目の右眼用画像Ｒ’０を表示することで、２回目に表示される右眼用画像Ｒ０は、表示パネルの特性に適合した、クロストークの少ない状態で表示される。本技術は、３次元画像処理装置に適用することができる。【選択図】図４
2013026871.tif 000002
【特許請求の範囲】
【請求項１】
３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正して表示する
画像処理装置。
【請求項２】
３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正部と、
前記第１の画像、前記補正部により補正された前記第１の画像、前記第２の画像、前記補正部により補正された前記第２の画像の順序で、表示パネルにシーケンシャルに表示する表示制御部と
を含む画像処理装置。
【請求項３】
前記表示パネルで表示する画素値に応じた、オーバドライブデータを記憶するオーバドライブデータ記憶部と、
前記表示パネルで表示する画素値に応じた、クロストーク量データを記憶するクロストーク量データ記憶部とを含み、
前記補正部は、前記その前後の第１の画像、および第２の画像間での画素値の変化に応じた、オーバドライブデータ記憶部に記憶されるオーバドライブデータ、および前記クロストーク量データ記憶部に記憶されるクロストーク量に基づいて、前記同一の第１の画像、および前記同一の第２の画像の１回目に表示する画像を用いて補正する
請求項２に記載の画像処理装置。
【請求項４】
前記その前後の第１の画像、および第２の画像の画素間、またはブロック間のコントラストが所定のコントラストよりも高いか否かを判定するコントラスト判定部を含み、
前記コントラスト判定部により前記コントラストが所定のコントラストよりも低いと判定されたとき、前記補正部は、前記その前後の第１の画像、および第２の画像間での画素値の変化に応じた、オーバドライブデータ記憶部に記憶されるオーバドライブデータ、および前記クロストーク量データ記憶部に記憶されるクロストーク量に基づいて、前記同一の第１の画像、および前記同一の第２の画像を用いて補正し、
前記コントラスト判定部により前記コントラストが所定のコントラストよりも高いと判定されたとき、前記補正部は、前記第１の画像、および第２の画像間での画素値を、その中間値に近付けるように、前記同一の第１の画像、および前記同一の第２の画像の１回目および２回目に表示する画像を補正する
請求項２に記載の画像処理装置。
【請求項５】
前記表示パネルの背後から発光することで光を投光させることにより、前記表示パネルに表示された画像を視聴可能な状態にするバックライトをさらに含み、
前記補正部により補正された第１の画像、および前記補正部により補正された第２の画像を、前記２回連続して表示するうち、２回目に表示するときのみ、前記バックライトは、前記表示パネルの背後から発光する
請求項２に記載の画像処理装置。
【請求項６】
３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正部における、前記３次元立体視可能な第１の画像と第２の画像とをシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正ステップと、
前記第１の画像、前記補正部により補正された前記第１の画像、前記第２の画像、前記補正部により補正された前記第２の画像の順序で、表示パネルにシーケンシャルに表示する表示制御部における、前記第１の画像、前記補正部により補正された前記第１の画像、前記第２の画像、前記補正部により補正された前記第２の画像の順序で、表示パネルにシーケンシャルに表示する表示制御ステップと
を含む画像処理方法。
【請求項７】
３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正部と、
前記第１の画像、前記補正部により補正された前記第１の画像、前記第２の画像、前記補正部により補正された前記第２の画像の順序で、表示パネルにシーケンシャルに表示する表示制御部と
を含む画像処理装置を制御するコンピュータに、
前記補正部における、前記３次元立体視可能な第１の画像と第２の画像とをシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正ステップと、
前記表示制御部における、前記第１の画像、前記補正部により補正された前記第１の画像、前記第２の画像、前記補正部により補正された前記第２の画像の順序で、表示パネルにシーケンシャルに表示する表示制御ステップと
を含む処理を実行させるプログラム。
【発明の詳細な説明】
【技術分野】
【０００１】
本技術は、画像処理装置および方法、並びにプログラムに関し、特に、３次元立体視を実現できる左眼用画像、および右眼用画像をシーケンシャルに表示して視聴する際、クロストークによる影響を低減できるようにした画像処理装置および方法、並びにプログラムに関する。
【背景技術】
【０００２】
左眼用画像、および右眼用画像からなる３Ｄ画像信号を、シーケンシャルに表示して、左右の眼に対してシャッタを設けた３Ｄ画像メガネにより左眼用画像、および右眼用画像の視聴タイミングを制御することで３次元立体視を実現する技術が普及しつつある。
【０００３】
より詳細には、これはフレームシーケンシャル方式と呼ばれる再生方式であり、左眼用画像を２回連続で表示した後、右眼用画像を２回連続で表示するといった処理を繰り返し、バックライトは２回目に表示したときのみ点灯する。このとき、バックライトは、点灯する際の点灯開始タイミングや点灯期間を最適化して点灯している。また、このとき、３Ｄ画像メガネは、２枚目に画像が表示されるタイミングのみで、かつ、左眼、または右眼のシャッタが交互に開放されて３次元立体視可能に制御される。このとき、３Ｄ画像メガネの左眼、または右眼のシャッタについても、開閉タイミングがバックライト同様に最適化されている。
【０００４】
この同一の画像を２度連続して表示し、バックライトや３Ｄ画像メガネのタイミング制御により適切なタイミングで２回目に表示した画像のみを視聴させることにより、表示パネルの液晶の応答速度が間に合わないことなどにより生じるクロストークを低減させている。
【０００５】
しかしながら、クロストークの要因は液晶等の表示パネルの応答性や３Ｄ画像メガネの応答性のみならず、その他の複雑な要素を含むものであり、この方式だけではクロストークの軽減対策として十分とは言えない。
【０００６】
そこで、左眼用画像、および右眼用画像の画素間、またはブロック間でのコントラストが大きいときは、輝度値の高い画素、またはブロックの画素値と、低い画素、またはブロックの画素値との中間値を求める。そして、画素値の高い画素、またはブロックの画素値を中間値に近付けるように低減させて、画素値の低い画素、またはブロックの画素値を中間値に近付けるように高めるようにすることで、クロストークを軽減させる方法が提案されている（特許文献１参照）。
【先行技術文献】
【特許文献】
【０００７】
【特許文献１】特開２００１−２５８０５２号公報
【発明の概要】
【発明が解決しようとする課題】
【０００８】
しかしながら、上述した特許文献１に記載の技術では、補正箇所が目立ってしまうことがあり、必ずしも完全にクロストークを軽減することができないことがあった。
【０００９】
本技術はこのような状況に鑑みてなされたものであり、特に、３次元立体視を実現できる左眼用画像、および右眼用画像をシーケンシャルに表示し、専用のメガネを利用して視聴する際、クロストークによる影響を低減できるようにするものである。
【課題を解決するための手段】
【００１０】
本技術の第１の側面の画像処理装置は、３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正して表示する
画像処理装置。
【００１１】
本技術の第２の側面の画像処理装置は、３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正部と、前記第１の画像、前記補正部により補正された前記第１の画像、前記第２の画像、前記補正部により補正された前記第２の画像の順序で、表示パネルにシーケンシャルに表示する表示制御部とを含む。
【００１２】
前記表示パネルで表示する画素値に応じた、オーバドライブデータを記憶するオーバドライブデータ記憶部と、前記表示パネルで表示する画素値に応じた、クロストーク量データを記憶するクロストーク量データ記憶部とを含ませるようにすることができ、前記補正部には、前記その前後の第１の画像、および第２の画像間での画素値の変化に応じた、オーバドライブデータ記憶部に記憶されるオーバドライブデータ、および前記クロストーク量データ記憶部に記憶されるクロストーク量に基づいて、前記同一の第１の画像、および前記同一の第２の画像の１回目に表示する画像を用いて補正させるようにすることができる。
【００１３】
前記その前後の第１の画像、および第２の画像の画素間、またはブロック間のコントラストが所定のコントラストよりも高いか否かを判定するコントラスト判定部を含ませるようにすることができ、前記コントラスト判定部により前記コントラストが所定のコントラストよりも低いと判定されたとき、前記補正部には、前記その前後の第１の画像、および第２の画像間での画素値の変化に応じた、オーバドライブデータ記憶部に記憶されるオーバドライブデータ、および前記クロストーク量データ記憶部に記憶されるクロストーク量に基づいて、前記同一の第１の画像、および前記同一の第２の画像を用いて補正させるようにすることができ、前記コントラスト判定部により前記コントラストが所定のコントラストよりも高いと判定されたとき、前記補正部には、前記第１の画像、および第２の画像間での画素値を、その中間値に近付けるように、前記同一の第１の画像、および前記同一の第２の画像の１回目および２回目に表示する画像を補正させるようにすることができる。
【００１４】
前記表示パネルの背後から発光することで光を投光させることにより、前記表示パネルに表示された画像を視聴可能な状態にするバックライトをさらに含ませるようにすることができ、前記補正部により補正された第１の画像、および前記補正部により補正された第２の画像を、前記２回連続して表示するうち、２回目に表示するときのみ、前記バックライトには、前記表示パネルの背後から発光させるようにすることができる。
【００１５】
本技術の第２の側面の画像処理方法は、３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正部における、前記３次元立体視可能な第１の画像と第２の画像とをシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正ステップと、前記第１の画像、前記補正部により補正された前記第１の画像、前記第２の画像、前記補正部により補正された前記第２の画像の順序で、表示パネルにシーケンシャルに表示する表示制御部における、前記第１の画像、前記補正部により補正された前記第１の画像、前記第２の画像、前記補正部により補正された前記第２の画像の順序で、表示パネルにシーケンシャルに表示する表示制御ステップとを含む。
【００１６】
本技術の第２の側面のプログラムは、３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正部と、前記第１の画像、前記補正部により補正された前記第１の画像、前記第２の画像、前記補正部により補正された前記第２の画像の順序で、表示パネルにシーケンシャルに表示する表示制御部とを含む画像処理装置を制御するコンピュータに、前記補正部における、前記３次元立体視可能な第１の画像と第２の画像とをシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正ステップと、前記第１の画像、前記補正部により補正された前記第１の画像、前記第２の画像、前記補正部により補正された前記第２の画像の順序で、表示パネルにシーケンシャルに表示する表示制御ステップとを含む処理を実行させる。
【００１７】
本技術の第１の側面においては、３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像が、その前後の第１の画像、および第２の画像を用いて補正されて表示される。
【００１８】
本技術の第２の側面においては、３次元立体視可能な左眼用画像と右眼用画像とからなる第１の画像および第２の画像をシーケンシャルに表示する場合、同一の前記第１の画像を２回連続して表示した後、同一の前記第２の画像が２回連続して表示する処理が繰り返されるとき、前記同一の第１の画像、および前記同一の第２の画像の１回目に表示する画像が、その前後の第１の画像、および第２の画像が用いられて補正され、前記第１の画像、前記補正部により補正された前記第１の画像、前記第２の画像、前記補正部により補正された前記第２の画像の順序で、表示パネルにシーケンシャルに表示される。
【００１９】
本技術の画像処理装置は、独立した装置であっても良いし、画像処理を行うブロックであっても良い。
【発明の効果】
【００２０】
本技術によれば、３次元立体視を実現できる左眼用画像、および右眼用画像におけるクロストークを低減して表示することが可能となる。
【図面の簡単な説明】
【００２１】
【図１】本技術である画像処理装置を適用した画像処理システムの実施の形態の構成例を示す図である。
【図２】図１の画像処理装置による３Ｄ画像補正処理を説明するフローチャートである。
【図３】左眼用画像、および右眼用画像の表示タイミングを説明する図である。
【図４】クロストーク量データテーブルを説明する図である。
【図５】３Ｄ画像補正処理により補正画像の生成例を示す図である。
【図６】図１の画像処理装置による３Ｄ画像表示処理を説明するフローチャートである。
【図７】汎用のパーソナルコンピュータの構成例を説明する図である。
【発明を実施するための最良の形態】
【００２２】
［本技術を適用した画像処理システムの構成例］
図１を参照して、本技術を適用した３次元立体視画像を表示する画像処理システムの構成例について説明する。
【００２３】
図１の画像処理システムは、画像処理装置１１および３Ｄ画像メガネ１２より構成されている。画像処理装置１１は、入力される左眼用画像、および右眼用画像からなる３Ｄ画像信号のフレームレートを変換して、専用の３Ｄ画像メガネ１２を利用することで、視聴者が立体視可能な画像を表示する、例えば、テレビジョン受像機などである。より詳細には、画像処理装置１１は、３Ｄ画像を構成する左眼用画像、および右眼用画像を、例えば、240Hzのフレームレートで、各フレームについて、左眼用画像を２回連続で表示した後、右眼用画像を２回連続で表示する。この際、画像処理装置１１は、左眼用画像、および右眼用画像を２回目に表示する際、バックライトを点灯させて、視聴可能な状態とし、３Ｄ画像メガネ１２のシャッタを対応して表示される画像に合わせて開放する。このような表示制御により、視聴者は、３Ｄ画像メガネ１２を装着して、画像処理装置１１により表示される画像を視聴することで、３次元立体視を実現することができる。
【００２４】
また、画像処理装置１１は、フレーム毎に、左眼用画像、および右眼用画像の画素単位、またはブロック単位で輝度値差をコントラストとして求め、クロストークの特性に応じて設定される閾値よりも高いか否かに対応して左眼用画像、および右眼用画像に補正を加える。すなわち、コントラストが所定の閾値よりも高い場合、画像処理装置１１は、輝度値の高い方の画像における画素、またはブロックの輝度をそれらの平均値に近い値に低減させ、逆に、輝度値の低い方の画像における画素、またはブロックの輝度をそれらの平均値に近い値にまで高めるように補正する。
【００２５】
また、コントラストが所定の閾値よりも低い場合、画像処理装置１１は、１回目に表示する画像については、２回目に表示する画像の画素値と、その画素値に対応して予め求められているクロストーク量やオーバドライブの値を利用して、１回目に表示される画像を補正して表示する。このように表示を制御することで、実際には、視聴者には視聴することができない１回目に表示される画像が補正して表示されるので、２回目に表示される画像が、より適切なものへと調整された状態で表示させることが可能となり、クロストークが軽減される。
【００２６】
尚、以降においては、各フレームについて、左眼用画像を２回連続して表示した後、右眼用画像を２回連続して表示する例について説明するものとするが、当然のことながら右眼用画像を２回連続して表示した後、左眼用画像を２回連続して表示してもよいものである。
【００２７】
画像処理装置１１は、画像取得部２１、画像バッファ２２、補正画像生成部２３、オーバドライブデータ記憶部２４、クロストーク量データ記憶部２５、画像バッファ２６、およびシーケンシャル表示制御部２７を備えている。さらに、画像処理装置１１は、表示パネル制御部２８、バックライト制御部２９、メガネシャッタ信号発生部３０、バックライト３１、および表示パネル３２を備えている。また、３Ｄ画像メガネ１２は、メガネシャッタ制御部５１を備えている。
【００２８】
画像取得部２１は、左眼用画像および右眼用画像からなる３Ｄ画像信号の供給を受けると、これを取得して画像バッファ２２にバッファリングさせる。
【００２９】
補正画像生成部２３は、フレーム単位で、左眼用画像、および右眼用画像における画素単位、またはブロック単位で画素間、またはブロック間の輝度値差、すなわち、コントラストを求めて、求められたコントラストに応じて左眼用画像、および右眼用画像を補正する。より詳細には、コントラストがクロストーク特性に応じて設定される閾値よりも高い場合、補正画像生成部２３は、輝度値の高い方の画像における画素、またはブロックの輝度をそれらの平均値に近い値に低減させるように補正する。同時に、補正画像生成部２３は、輝度値の低い方の画像における画素、またはブロックの輝度をそれらの平均値に近い値にまで高めるように補正する。そして、補正画像生成部２３は、補正した左眼用画像、および右眼用画像を画像バッファ２６にバッファリングさせる。
【００３０】
また、コントラストがクロストーク特性に応じて設定される閾値よりも高い場合、補正画像生成部２３は、それぞれ２回連続して表示される画像のうち、１回目に表示される画像を、２回目に表示される画像の対応する画素値と、その画素値に基づいて予め設定されているクロストーク量、およびオーバドライブに基づいて、２回目に表示される画像が適切に表示されるように補正する。そして、補正画像生成部２３は、連続して表示される左眼用画像、および右眼用画像のうち、２回目に表示されるべきオリジナル画像と、１回目に表示されるべき、補正画像とを画像バッファ２６にバッファリングさせる。
【００３１】
尚、各フレームの左眼用画像、および右眼用画像をシーケンシャルに表示するに当たり、１回目に表示される画像を１枚目の画像（左眼用画像、および右眼用画像）とも称し、２回目に表示される画像を２枚目の画像（左眼用画像、および右眼用画像）とも称する。
【００３２】
より詳細には、補正画像生成部２３は、コントラスト判定部４１、平均化処理部４２、およびクロストーク補正処理部４３とを備えている。補正画像生成部２３は、コントラスト判定部４１を制御して、各フレームにおける左眼用画像、および右眼用画像の各画素単位、またはブロック単位で輝度値差、すなわち、コントラストを求めさせ、クロストーク特性に基づいて設定される所定の閾値よりも高いか否かを判定させる。コントラストが所定の閾値よりも高い場合、補正画像生成部２３は、平均化処理部４２を制御して、コントラストの高い画像の画素、またはブロックの輝度値を、それらの平均値に近い値に低減させるように補正する。また、補正画像生成部２３は、平均化処理部４２を制御して、コントラストの低い画像の画素、またはブロックの輝度値を、それらの平均値に近い値に高めるように補正する。この結果、左眼用画像、および右眼用画像とのコントラストが小さくなり、クロストークが低減される。尚、この平均化処理部４２により成される左眼用画像、および右眼用画像とのコントラストを低減する処理については、以降において、単に平均化処理とも称する。
【００３３】
一方、コントラストが所定の閾値よりも低い場合、補正画像生成部２３は、クロストーク補正処理部４３を制御して、１枚目の画像として表示される画像を、その後に連続して表示される入力画像の画素値を利用して補正し、補正画像を生成する。より詳細には、補正画像生成部２３は、クロストーク補正処理部４３を制御して、２枚目の画像の各画素の画素値について、表示する際のクロストーク量データを記憶するクロストーク量データ記憶部２５より読み出させる。補正画像生成部２３は、クロストーク補正処理部４３を制御して、２枚目の画像の各画素の画素値について、求められたクロストーク量を打ち消すだけの画素値の補正量を、オーバドライブデータを記憶するオーバドライブデータ記憶部２４より読み出させる。そして、補正画像生成部２３は、クロストーク補正処理部４３を制御して、画素値の補正量を求めて、２枚目の画像を適切に表示できるような画素値となるように、１枚目の画像の画素値を補正して、補正画像を生成させる。
【００３４】
シーケンシャル表示制御部２７は、タイミング発生部２７ａを制御して、例えば、240Hzで発生するタイミング信号に基づいて、画像バッファ２６にバッファリングされている左眼用画像を２回連続で読み出した後、２回連続で右眼用画像を読み出して、表示パネル制御部２８に供給する。このとき、シーケンシャル表示制御部２７は、補正画像生成部２３により補正されて、画像バッファ２６にバッファリングされている左眼用画像、および右眼用画像を順次表示パネル３２に供給して表示させる。同時に、シーケンシャル表示制御部２７は、各画像の表示タイミングを示すタイミング信号をバックライト制御部２９に供給する。バックライト制御部２９は、各画像の表示タイミングを示すタイミング信号に基づいて、２枚目となる画像が表示パネル３２に表示されたタイミングで点灯するように制御する。さらに、シーケンシャル表示制御部２７は、各画像の表示タイミングを示すタイミング信号をメガネシャッタ信号発生部３０に供給する。メガネシャッタ信号発生部３０は、有線または無線により３Ｄ画像メガネ１２に対して右眼シャッタ５２−１、および左眼シャッタ５２−２の開放閉塞を示すシャッタ開閉信号を送信する。より詳細には、メガネシャッタ信号発生部３０は、２枚目の左眼用画像、および右眼用画像が表示パネル３２に表示され、バックライト３１が点灯するタイミングで、右眼シャッタ５２−１、および左眼シャッタ５２−２のいずれかが開放されるように、シャッタ開閉信号を発生する。３Ｄ画像メガネ１２においては、メガネシャッタ制御部５１は、シャッタ開閉信号に基づいて、右眼シャッタ５２−１、および左眼シャッタ５２−２を交互に開放する。
【００３５】
［３Ｄ画像補正処理］
次に、図２のフローチャートを参照して、図１の画像処理装置１１による３Ｄ画像補正処理について説明する。
【００３６】
ステップＳ１において、画像取得部２１は、左眼用画像、および右眼用画像からなる３Ｄ画像信号が供給されてきたか否かを判定し、供給されてくるまで、同様の処理を繰り返す。ステップＳ１において、例えば、３Ｄ画像信号が供給されてきた場合、処理は、ステップＳ２に進む。
【００３７】
ステップＳ２において、画像取得部２１は、供給されてきた３Ｄ画像信号を取得して、順次供給されてくる順序で、図示せぬフレーム番号の情報と共に、ステップＳ３において、左眼用画像、および右眼用画像を画像バッファ２２にバッファリングさせる。
【００３８】
ステップＳ４において、補正画像生成部２３は、フレームカウンタＮを０に初期化する。
【００３９】
ステップＳ５において、補正画像生成部２３は、画像バッファ２２にバッファリングされている３Ｄ画像信号のうち、フレームＮの左眼用画像ＬＮ、および右眼用画像ＲＮを読み出す。すなわち、画像処理装置１１において、３Ｄ画像は、図３の上段で示されるように、第０フレームの左眼用画像Ｌ０が、時刻ｔ０乃至ｔ１で表示され、引き続き第０フレームの左眼用画像Ｌ０が時刻ｔ１乃至ｔ２で表示される。さらに、第０フレームの右眼用画像Ｒ０が、時刻ｔ２乃至ｔ３で表示され、引き続き第０フレームの右眼用画像Ｒ０が時刻ｔ３乃至ｔ４で表示される。そして、以降第１フレーム、第２フレーム、・・・と引き続き繰り返して表示されていく。ここでは、フレーム単位で左眼用画像、および右眼用画像が読み出されるので、例えば、第０フレームの左眼用画像Ｌ０、および右眼用画像Ｒ０、または、第１フレームの左眼用画像Ｌ１、および右眼用画像Ｒ１などが読み出される。
【００４０】
尚、図３の上段においては、上から左眼用画像ＬＮ、および右眼用画像ＲＮの表示順序、３Ｄ画像メガネの左眼シャッタ５２−２の開放波形、３Ｄ画像メガネの右眼シャッタ５２−１の開放波形、およびバックライト３１のオンオフ波形をそれぞれ示している。また、３Ｄ画像メガネの左眼シャッタ５２−２の開放波形、および３Ｄ画像メガネの右眼シャッタ５２−１の開放波形においては、Ｈｉ信号がシャッタの開放タイミングを、Ｌｏｗ信号が閉塞タイミングをそれぞれ示している。さらに、バックライト３１のオンオフ波形については、Ｈｉ信号がオンの状態を、Ｌｏｗ信号がオフの状態をそれぞれ示している。
【００４１】
ステップＳ６において、補正画像生成部２３は、未処理の画像を注目画素に設定する。尚、ここでは、画素単位で画像を補正するものとするが、複数の画素からなるブロック単位で処理するようにしてもよい。
【００４２】
ステップＳ７において、補正画像生成部２３は、コントラスト判定部４１を制御して、左眼用画像ＬＮ、および右眼用画像ＲＮの注目画素におけるコントラスト、すなわち、輝度値差を求めさせる。
【００４３】
ステップＳ８において、補正画像生成部２３は、コントラスト判定部４１を制御して、求められたコントラストが、クロストーク特性に基づいて、設定される所定の閾値よりも高い、いわゆる、高コントラストであるか否かを判定させる。ステップＳ８において、例えば、コントラストが所定の閾値よりも低く、低、中コントラストであるとみなされた場合、処理は、ステップＳ９に進む。
【００４４】
ステップＳ９において、補正画像生成部２３は、クロストーク補正処理部４３を制御して、１フレーム前の右眼用画像Ｒ（Ｎ−１）、および左眼用画像ＬＮにおける注目画素におけるそれぞれの画素値に基づいて、オーバドライブデータ記憶部２４に記憶されているオーバドライブデータを読み出す。
【００４５】
ステップＳ９において、補正画像生成部２３は、クロストーク補正処理部４３を制御して、１フレーム前の右眼用画像Ｒ（Ｎ−１）、および左眼用画像ＬＮにおける注目画素におけるそれぞれの画素値に基づいて、クロストーク量データ記憶部２５に記憶されているクロストーク量データを読み出す。クロストーク量データ記憶部２５には、例えば、図４で示されるようなデータテーブルが記憶されている。図４においては、例えば、横方向に前フレームにおける輝度値のテーブルが示されており、縦方向に現フレームにおける輝度値のテーブルが設定されており、縦横のテーブルがクロスする位置の値がクロストーク量を示している。ここでの輝度値は、０乃至２５５である。したがって、縦方向のテーブルの輝度値と、横方向のテーブルの輝度値が一致する場合、前フレームと現フレームとで輝度値が一致するので、クロストーク量としては０となる。また、図４で示されるように、例えば、前フレームにおける輝度値が０であって、現フレームの輝度値が２５５であるような場合、クロストーク量は４４．２といった最大値となる。すなわち、この場合、前フレームの輝度値が０である画素を、現フレームにおいて輝度値が２５５となるように制御しても、輝度値は２１０程度にしかならないことが示されており、この不足分がクロストーク量として求められている。
【００４６】
ステップＳ１０において、補正画像生成部２３は、クロストーク補正処理部４３を制御して、左眼用画像ＬＮで生じるクロストーク量に対応する、オーバドライブデータ記憶部２４に記憶されている輝度値の変化量とオーバドライブデータとの関係から、輝度値の補正量を求める。オーバドライブデータ記憶部２４に記憶されているオーバドライブデータは、各画素の輝度値を制御する電圧を所定時間だけ高めに、または、低めに設定する際に目標とする輝度値より高め、または低めに設定する輝度値のデータである。すなわち、オーバドライブデータも、クロストーク量データと同様に、前フレームの画像における輝度値と、現フレームの画像における輝度値との関係により設定されるテーブルである。より具体的には、前フレームにおける輝度値が１００であるとき、現フレームにおける輝度値を２００とするときには、例えば、現フレームの表示を開始してから所定の短時間だけ輝度値を２１０程度に高めた電圧を印加して、印加開始から極短時間に急峻な電圧変化を与えることで確実に輝度値が２００となるようにしてクロストークを低減させている。しかしながら、現実には、クロストーク量データで見られるようなクロストークが発生してしまう。そこで、ここでは、クロストーク量から得られる値に基づいて、オーバドライブデータを補正して利用する。
【００４７】
ステップＳ１１において、補正画像生成部２３は、クロストーク補正処理部４３を制御して、求められた補正量分だけ左眼用画像ＬＮにおける注目画素の輝度値を、１枚目の左眼用画像ＬＮ’の画素として補正する。そして、補正画像生成部２３は、１枚目の左眼用画像ＬＮ’として補正した画素の輝度値を画像バッファ２６にバッファリングする。
【００４８】
ステップＳ１２において、補正画像生成部２３は、クロストーク補正処理部４３を制御して、第Ｎフレームの左眼用画像ＬＮ、および右眼用画像ＲＮにおける注目画素におけるそれぞれの画素値に基づいて、クロストーク量データ記憶部２５に記憶されている右眼用画像ＲＮで生じるクロストーク量データを読み出す。
【００４９】
ステップＳ１３において、補正画像生成部２３は、クロストーク補正処理部４３を制御して、右眼用画像ＲＮで生じるクロストーク量と、オーバドライブデータ記憶部２４に記憶されている輝度値の変化量とオーバドライブデータとから、輝度値の補正量を求める。
【００５０】
ステップＳ１４において、補正画像生成部２３は、クロストーク補正処理部４３を制御して、求められた補正量分だけ右眼用画像ＲＮにおける注目画素の輝度値を、１枚目の右眼用画像ＲＮ’の画素として補正する。そして、補正画像生成部２３は、１枚目の右眼用画像ＲＮ’として補正した画素の輝度値を画像バッファ２６にバッファリングする。
【００５１】
例えば、図５の上段で示されるように、左眼用画像Ｌ１の輝度値が１０の状態で２回連続で表示された後、輝度値が２００の右眼用画像Ｒ１を２回連続で表示すると、オーバドライブを考慮しても、右眼用画像Ｒ１の輝度値は２０程度低下して表示される。すなわち、輝度値のコントラストが低中程度であっても、クロストーク量が２０程度のクロストークが発生する。これは、図４でも示されるように、例えば、前フレームの輝度値が１６であって、現フレームの輝度値が２０８の場合、クロストーク量は１５．５となっており、図５の上段で示されるようなクロストークが実際に生じることが示されている。
【００５２】
そこで、例えば、カウンタＮ＝１である場合、図３の下段で示されるように、１枚目に表示される第１フレームの右眼用画像Ｒ１は、その直前に、２枚目の第１フレームの左眼用画像Ｌ１が表示された後に表示される画像であり、さらに、その後に、２枚目の第１フレームの右眼用画像Ｒ１が表示される。実際に、バックライト３１が表示されて、３Ｄ画像メガネ１２により視聴されるのは、２枚目の第１フレームの左眼用画像Ｌ１、および、２枚目の第１フレームの右眼用画像Ｒ１である。このことから、２枚目の第１フレームの左眼用画像Ｌ１を表示した後に、２枚目の第１フレームの右眼用画像Ｒ１がクロストークを生じない状態で表示されるように、１枚目の第１フレームの右眼用画像Ｒ１の表示状態を補正した右眼用画像Ｒ’１を表示する。このような処理により、２枚目の第１フレームの右眼用画像Ｒ１を精度良く表示させることができる。尚、図３の下段で示されるように、コントラストが高コントラストではない画素については、その他のフレームにおいても同様の処理が成される。すなわち、高コントラストではない画素については、第０フレームにおける右眼用画像Ｒ０についても、第０フレームの左眼用画像Ｌ０、および右眼用画像Ｒ０により補正された右眼用画像Ｒ０’が生成されることで補正される。また、高コントラストではない画素については、第１フレームにおける右眼用画像Ｌ１についても、第０フレームの右眼用画像Ｒ０、および第１フレームの左眼用画像Ｌ１により補正された左眼用画像Ｌ１’が生成されることで補正される。
【００５３】
そこで、ステップＳ９乃至Ｓ１４の処理では、高コントラストではない画素について、２枚目に表示される左眼用画像ＬＮ、および右眼用画像ＲＮにクロストークが生じないように、１枚目に表示される左眼用画像ＬＮ、および右眼用画像ＲＮを補正した左眼用画像ＬＮ’、および右眼用画像ＲＮ’の画素として補正している。
【００５４】
すなわち、ステップＳ１２乃至Ｓ１４において、クロストーク補正処理部４３は、図５の下段で示されるように、２枚目の右眼用画像Ｒ１でクロストークが生じないように、求められたクロストーク量を考慮して１枚目の右眼用画像Ｒ１を補正して右眼用画像Ｒ１’を生成する。より詳細には、クロストーク補正処理部４３は、クロストーク量を含む輝度値において、クロストーク量分を考慮すると共に、補正された１枚目の右眼用画像Ｒ１’を表示した後に、オーバドライブを使用することで２枚目の右眼用画像Ｒ１をクロストークが生じない、正しい輝度値として表示できるように補正量を設定する。そして、クロストーク補正処理部４３は、オリジナルの右眼用画像ＲＮにおける、注目画素の輝度値に対して、補正量を加算した（減算した）輝度値に補正する。より詳細には、例えば、前フレームにおいて輝度値が９６であって、現フレームにおいて輝度値を２０８で表示しようとする場合、図４におけるクロストーク量データでは、クロストーク量が１６．８となっている。このため、実際には、輝度値は１９１．２程度にしかならないことが示されている。そこで、クロストーク補正処理部４３は、クロストーク量を考慮した前フレームの輝度値９６に対する輝度値２０８へと変化させるときのオーバドライブデータをオーバドライブデータ記憶部２４より読み出して、さらに、クロストーク量である１６．８を足し合わせた値を１枚目の画像の輝度値に設定する。この場合、さらに、クロストークが発生することも予想されるが、１枚目の画像の画素においては、目標とする輝度値２０８に近い値とすることができるので、２枚目の画像を表示する際に発生するクロストーク量は極小さいものとすることが可能となる。
【００５５】
一方、ステップＳ８において、コントラストが所定の閾値よりも高く、高コントラストであるとみなされた場合、処理は、ステップＳ１５に進む。
【００５６】
ステップＳ１５において、補正画像生成部２３は、平均化処理部４２を制御して、第Ｎフレームの左眼用画像ＬＮ、および右眼用画像ＲＮの注目画素について、輝度値が高い画素の輝度値を、両者の平均値に近い値に低減させる。また、補正画像生成部２３は、平均化処理部４２を制御して、第Ｎフレームの左眼用画像ＬＮ、および右眼用画像ＲＮの注目画素について、輝度値が低い画素の輝度値を、両者の平均値に近い値に高くする。この結果、左眼用画像ＬＮ、および右眼用画像ＲＮの注目画素については、コントラストが小さくされるので、クロストークが低減される。
【００５７】
ステップＳ１６において、補正画像生成部２３は、未処理の画素が存在するか否かを判定し、未処理の画素がある場合、処理は、ステップＳ６に戻る。すなわち、第Ｎフレームの左眼用画像ＬＮ、および右眼用画像ＲＮの各画素が全て補正処理されるまで、ステップＳ６乃至Ｓ１４の処理が繰り返される。そして、ステップＳ１６において、未処理の画素がない、すなわち、第Ｎフレームの左眼用画像ＬＮ、および右眼用画像ＲＮの各画素が全て補正処理されたとみなされた場合、処理は、ステップＳ１７において、次のフレームの画像が存在するか否かを判定し、存在する場合、ステップＳ１８において、補正画像生成部２３は、カウンタＮを１インクリメントして処理は、ステップＳ５に戻る。そして、ステップＳ１７において、全ての次のフレームの画像が存在しないとみなされると、処理は、ステップＳ１に戻り、それ以降の処理が繰り返される。
【００５８】
以上の処理により、フレーム単位で第Ｎフレームの左眼用画像ＬＮ、および右眼用画像ＲＮの各画素について、コントラストが求められて、低中コントラストである画素については、２枚目に表示される左眼用画像ＬＮ、および右眼用画像ＲＮが適切な輝度値となるように、クロストーク量と、オーバドライブとを考慮した補正量で生成される補正画像である左眼用画像ＬＮ’、および右眼用画像ＲＮ’の画素として補正される。また、高コントラストである画素については、１枚目、および２枚目のいずれの左眼用画像ＬＮ、および右眼用画像ＲＮについても、輝度値の高い画素の輝度値が両者の平均値に近い値となるように低減されて、輝度値の低い画素の輝度値が両者の平均値に近い値となるように補正される。
【００５９】
結果として、画素単位、またはブロック単位で左眼用画像、および右眼用画像に対して、コントラストに応じて適切な補正を加えることにより、クロストークを低減させる事が可能となるので、３次元立体視可能な視聴を実現させることが可能となる。
【００６０】
［３Ｄ画像表示処理］
次に、図６のフローチャートを参照して、３Ｄ画像表示処理について説明する。
【００６１】
ステップＳ３１において、シーケンシャル表示制御部２７は、タイミング発生部２７ａを制御して、１枚目の画像の表示タイミングとなったか否かを判定し、１枚目の画像の表示タイミングになったとみなされるまで、同様の処理を繰り返す。ステップＳ３１において、例えば、図３の上段における時刻ｔ２となり、１枚目の画像の表示タイミングになっているような場合、処理は、ステップＳ３２に進む。
【００６２】
ステップＳ３２において、シーケンシャル表示制御部２７は、バックライト制御部２９を制御して、バックライト３１をオフにする。すなわち、例えば、図３の４段目における時刻ｔ２で示されるように、バックライト３１がオフにされる。
【００６３】
ステップＳ３３において、シーケンシャル表示制御部２７は、メガネシャッタ信号発生部３０を制御して、右眼シャッタ５２−１、および左眼シャッタ５２−２をオフに制御する信号を発生し、３Ｄ画像メガネ１２に供給する。この処理により、３Ｄ画像メガネ１２のメガネシャッタ制御部５１は、右眼シャッタ５２−１、および左眼シャッタ５２−２を閉塞状態として完全に視聴不能にする。
【００６４】
ステップＳ３４において、シーケンシャル表示制御部２７は、画像バッファ２６にバッファリングされている左眼用画像、または右眼用画像の１枚目の画像として生成された画像を読み出して、表示パネル制御部２８を制御して、表示パネル３２に表示させる。すなわち、上述した補正処理により、左眼用画像および右眼用画像との画素単位のコントラストが高コントラストである画素が、平均化処理された画素値に補正され、低中コントラストの画素については、クロストーク量とオーバドライブとにより求められた補正量が加算、または減算された画素値に補正された補正画像が表示される。
【００６５】
ステップＳ３５において、シーケンシャル表示制御部２７は、タイミング発生部２７ａを制御して、２枚目の画像の表示タイミングとなったか否かを判定し、２枚目の画像の表示タイミングになったとみなされるまで、同様の処理を繰り返す。ステップＳ３５において、例えば、図３の上段における時刻ｔ３となり、２枚目の画像の表示タイミングになっているような場合、処理は、ステップＳ３６に進む。
【００６６】
ステップＳ３６において、シーケンシャル表示制御部２７は、バックライト制御部２９を制御して、バックライト３１をオンにする。すなわち、例えば、図３の４段目における時刻ｔ３で示されるように、バックライト３１がオンにされる。
【００６７】
ステップＳ３７において、シーケンシャル表示制御部２７は、メガネシャッタ信号発生部３０を制御して、右眼用画像、または左眼用画像のいずれか表示すべき画像にのみ対応する右眼シャッタ５２−１、または左眼シャッタ５２−２をオンに制御する信号を発生する。そして、シーケンシャル表示制御部２７は、発生した信号を３Ｄ画像メガネ１２に供給する。この処理により、３Ｄ画像メガネ１２のメガネシャッタ制御部５１は、信号に基づいて、右眼シャッタ５２−１、および左眼シャッタ５２−２のいずれかのみを開放状態として視聴可能にする。
【００６８】
ステップＳ３８において、シーケンシャル表示制御部２７は、画像バッファ２６にバッファリングされている左眼用画像、または右眼用画像の１枚目の画像として生成された画像を読み出して、表示パネル制御部２８を制御して、表示パネル３２に表示させる。すなわち、上述した補正処理により、左眼用画像および右眼用画像との画素単位のコントラストが高コントラストである画素が、平均化処理された画素値に補正された画像が表示される。尚、ここで、高コントラストと判定された画素のみの補正が成された画像については、補正画像とは称しないものとする。
【００６９】
以上の処理により、低中コントラストの画素について、１枚目に表示される左眼用画像、および右眼用画像が、２枚目に表示される左眼用画像、および右眼用画像にクロストーク量、およびオーバドライブに基づいて、クロストークが生じないように補正がなされた画像が、視聴不能な状態で表示された後、２枚目の左眼用画像、および右眼用画像が視聴可能な状態で表示されるように制御され、さらに、表示される画像のうち、左眼用画像、および右眼用画像の輝度値差が大きな高コントラストの画素については、平均化処理がなされることにより、クロストークを低減した３次元立体視を実現することが可能となる。尚、以上においては、クロストークデータとオーバドライブデータを利用する例について説明してきたが、クロストークを加味したオーバドライブデータを生成して利用するようにしてもよい。また、以上においては、低中コントラストである場合にのみ、クロストーク量に応じて補正するようにする例について説明してきたが、コントラストによらず、常に、クロストーク量に応じて補正するようにしても良い。この場合、コントラスト判定部４１による処理、すなわち、図２のステップＳ７，Ｓ８，Ｓ１５の処理が不要となるので、処理負荷が低減される。結果として、処理を高速化しつつ、クロストークによる影響を低減させることが可能となる。また、このようにすることにより、補正は、フレーム単位で処理する必要がなくなり、左眼用画像および右眼用画像を意識することなく、1枚目に表示される画像だけを、その前後の画像でクロストークが生じないようにシーケンシャルに補正するだけよい。このため、やはり処理負荷を低減させることが可能となる。
【００７０】
以上の如く、本技術によれば、３次元立体視を実現できる左眼用画像、および右眼用画像をシーケンシャルに表示し、専用のメガネを利用して視聴する際、クロストークによる影響を低減させることが可能となる。
【００７１】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００７２】
図７は、汎用のパーソナルコンピュータの構成例を示している。このパーソナルコンピュータは、CPU(Central Processing Unit)１００１を内蔵している。CPU１００１にはバス１００４を介して、入出力インタフェイス１００５が接続されている。バス１００４には、ROM(Read Only Memory)１００２およびRAM(Random Access Memory)１００３が接続されている。
【００７３】
入出力インタフェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【００７４】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【００７５】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【００７６】
尚、本技術は以下のような構成を取ることができる。
（１）  ３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正部と、
前記第１の画像、前記補正部により補正された前記第１の画像、前記第２の画像、前記補正部により補正された前記第２の画像の順序で、表示パネルにシーケンシャルに表示する表示制御部と
を含む画像処理装置。
（２）  前記表示パネルで表示する画素値に応じた、オーバドライブデータを記憶するオーバドライブデータ記憶部と、
前記表示パネルで表示する画素値に応じた、クロストーク量データを記憶するクロストーク量データ記憶部とを含み、
前記補正部は、前記その前後の第１の画像、および第２の画像間での画素値の変化に応じた、オーバドライブデータ記憶部に記憶されるオーバドライブデータ、および前記クロストーク量データ記憶部に記憶されるクロストーク量に基づいて、前記同一の第１の画像、および前記同一の第２の画像の１回目に表示する画像を用いて補正する
（１）に記載の画像処理装置。
（３）  前記その前後の第１の画像、および第２の画像の画素間、またはブロック間のコントラストが所定のコントラストよりも高いか否かを判定するコントラスト判定部を含み、
前記コントラスト判定部により前記コントラストが所定のコントラストよりも低いと判定されたとき、前記補正部は、前記その前後の第１の画像、および第２の画像間での画素値の変化に応じた、オーバドライブデータ記憶部に記憶されるオーバドライブデータ、および前記クロストーク量データ記憶部に記憶されるクロストーク量に基づいて、前記同一の第１の画像、および前記同一の第２の画像を用いて補正し、
前記コントラスト判定部により前記コントラストが所定のコントラストよりも高いと判定されたとき、前記補正部は、前記第１の画像、および第２の画像間での画素値を、その中間値に近付けるように、前記同一の第１の画像、および前記同一の第２の画像の１回目および２回目に表示する画像を補正する
（１）または（２）に記載の画像処理装置。
（４）  前記表示パネルの背後から発光することで光を投光させることにより、前記表示パネルに表示された画像を視聴可能な状態にするバックライトをさらに含み、
前記補正部により補正された第１の画像、および前記補正部により補正された第２の画像を、前記２回連続して表示するうち、２回目に表示するときのみ、前記バックライトは、前記表示パネルの背後から発光する
（１）乃至（３）のいずれかに記載の画像処理装置。
（５）  ３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正部における、前記３次元立体視可能な第１の画像と第２の画像とをシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正ステップと、
前記第１の画像、前記補正部により補正された前記第１の画像、前記第２の画像、前記補正部により補正された前記第２の画像の順序で、表示パネルにシーケンシャルに表示する表示制御部における、前記第１の画像、前記補正部により補正された前記第１の画像、前記第２の画像、前記補正部により補正された前記第２の画像の順序で、表示パネルにシーケンシャルに表示する表示制御ステップと
を含む画像処理方法。
（６）  ３次元立体視可能な左眼用画像と右眼用画像とからなる第１の画像および第２の画像をシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正部と、
前記第１の画像、前記第１の画像、前記補正部により補正された前記第１の画像、前記第２の画像、前記補正部により補正された前記第２の画像の順序で、表示パネルにシーケンシャルに表示する表示制御部と
を含む画像処理装置を制御するコンピュータに、
前記補正部における、前記３次元立体視可能な第１の画像と第２の画像とをシーケンシャルに表示する場合、同一の前記第１の画像を２回連続して表示した後、同一の前記第２の画像を２回連続して表示する処理を繰り返すとき、前記同一の第１の画像、および前記同一の第２の画像の１回目に表示する画像を、その前後の第１の画像、および第２の画像を用いて補正する補正ステップと、
前記表示制御部における、前記第１の画像、前記補正部により補正された前記第１の画像、前記第２の画像、前記補正部により補正された前記第２の画像の順序で、表示パネルにシーケンシャルに表示する表示制御ステップと
を含む処理を実行させるプログラム。
【符号の説明】
【００７７】
１１  画像処理装置，  １２  ３Ｄ画像メガネ，  ２１  画像取得部，  ２２  画像バッファ，  ２３  補正画像生成部，  ２４  オーバドライブデータ記憶部，  ２５  クロストーク量データ記憶部，  ２６  画像バッファ，  ２７  シーケンシャル表示制御部，  ２８  表示パネル制御部，  ２９  バックライト制御部，  ３０  メガネシャッタ信号発生部，  ３１  バックライト，  ３２  表示パネル，  ５１  メガネシャッタ制御部，  ５２−１  右眼用シャッタ，  ５２−２  左眼用シャッタ
【図１】
2013026871.tif 000003
【図２】
2013026871.tif 000004
【図３】
2013026871.tif 000005
【図４】
2013026871.tif 000006
【図５】
2013026871.tif 000007
【図６】
2013026871.tif 000008
【図７】
2013026871.tif 000009